(57)【要約】【課題】５レンズ群構成で、新規な変倍方式により、高変倍比でコンパクトな投射用ズームレンズの実現を課題とする。【解決手段】画像表示素子の表示面に表示された画像を被投射面に投射して拡大表示させる画像表示装置に用いられる投射用ズームレンズであって、拡大側から縮小側へ向かって第１〜第５レンズ群Ｇ１〜Ｇ５を配してなる５レンズ群構成であり、第１レンズ群Ｇ１は負の屈折力を有し、第２レンズ群Ｇ２は負の屈折力を有し、第３レンズ群Ｇ３は正の屈折力を有し、広角端から望遠端への変倍に際し、第３レンズ群Ｇ３が拡大側に移動し、第４レンズ群Ｇ４が拡大側に移動し、変倍時の第３レンズ群Ｇ３の移動量D3、変倍時の第４レンズ群Ｇ４の移動量D4が、条件：（１）０．０５＜Ｄ３／Ｄ４＜１．１０  を満足する。【選択図】図１
2014142592.tif 000002
【特許請求の範囲】
【請求項１】
画像を被投射面に投射して拡大表示させる画像表示装置に用いられる投射用ズームレンズであって、
拡大側から縮小側へ向かって第１レンズ群乃至第５レンズ群を配してなる５レンズ群構成であり、
第１レンズ群は、負の屈折力を有し、
第２レンズ群は、負の屈折力を有し、
第３レンズ群は、正の屈折力を有し、
広角端から望遠端への変倍に際し、第３レンズ群が拡大側に移動し、第４レンズ群が拡大側に移動し、
変倍時の第３レンズ群の移動量D3、変倍時の第４レンズ群の移動量D4が、条件：
（１）  ０．０５  ＜  Ｄ３／Ｄ４  ＜  １．１０
を満足することを特徴とする投射用ズームレンズ。
【請求項２】
請求項１記載の投射用ズームレンズにおいて、
広角端における半画角：ωｗが、条件：
（２）  ３４度  ≦  ωｗ  ＜  ４５度  
を満足することを特徴とする投射用ズームレンズ。
【請求項３】
請求項１または２記載の投射用ズームレンズにおいて、
広角端から望遠端への変倍に際して、第２レンズ群が、緩やかで単調に縮小側へ移動するか、もしくは、縮小側に凸となる軌跡を描いて移動することを特徴とする投射用ズームレンズ。
【請求項４】
請求項１乃至３の任意の１に記載の投射用ズームレンズにおいて、  
第３レンズ群と第４レンズ群は１枚乃至２枚の正レンズで構成されており、第３レンズ群と第４レンズ群の合計レンズ枚数は３枚以下であることを特徴とする投射用ズームレンズ。
【請求項５】
請求項１乃至４の任意の１に記載の投射用ズームレンズにおいて、
第４レンズ群は正であり、第３レンズ群と第４レンズ群のレンズの材質のｄ線の屈折率において、第３レンズ群の最も拡大側のレンズが最も大きく、第４レンズ群の最も縮小側のレンズが最も小さくなることを特徴とする投射用ズームレンズ。
【請求項６】
請求項５記載の投射用ズームレンズにおいて、  
第３レンズ群の最も拡大側のレンズの材質のｄ線の屈折率が１．７以上であることを特徴とする投射用ズームレンズ。
【請求項７】
請求項５記載の投射用ズームレンズにおいて、  
第４レンズ群の最も縮小側のレンズの材質のｄ線の屈折率が１．５以下であることを特徴とする投射用ズームレンズ。
【請求項８】
請求項５乃至７の任意の１に記載の投射用ズームレンズにおいて、  
第３レンズ群と第４レンズ群のレンズの材質のｄ線の屈折率が、縮小側から拡大側に段階的に大きくなることを特徴とする投射用ズームレンズ。
【発明の詳細な説明】
【技術分野】
【０００１】
この発明は投射用ズームレンズに関する。
【背景技術】
【０００２】
装置前方のスクリーン上に拡大画像を投射するフロント投射型のプロジェクタ装置は、企業でのプレゼンテーション用や学校での教育用、家庭用に近年広く普及している。
【０００３】
近来、投射用ズームレンズには「高倍率で、かつ広角であること」が要請されるようになってきている。
【０００４】
このような要請に沿うものとして、特許文献１、２に記載されたものが知られている。
【０００５】
特許文献１記載の投射用ズームレンズは、負・負・正・負・正の５レンズ群構成で、変倍比も略１．５倍を実現している。
【０００６】
また、特許文献２記載の投射用ズームレンズは、負・負・正・正・正の５レンズ群構成で、変倍比も略１．７倍を実現している。
【０００７】
特許文献１記載の投射用ズームレンズでは、第１、第３、第５レンズ群が固定群で、広角端から望遠端への変倍は、第２、第４レンズ群が縮小側に移動してなされる。
【０００８】
特許文献２記載の投射用ズームレンズでは、第１、第５レンズ群が固定群で、広角端から望遠端への変倍は、第２、第３、第４レンズ群が縮小側へ移動することによりなされる。
【０００９】
これら、特許文献１、２記載の投射用ズームレンズでは、拡大側の第１レンズ群と縮小側の第５レンズ群とが固定群である。
【００１０】
このため、移動群は「両端を固定された変位領域」で変位する必要がある。  
変倍比を高くするには、一般に、移動群の変位量を大きくする必要があり、移動群の変位領域を狭くすると、倍率の変化率が大きくなり、諸収差を劣化させ易い。
【００１１】
５レンズ群というレンズ群数で、移動群を大きくしようとすると、レンズ全系が長大化しやすい。
【発明の概要】
【発明が解決しようとする課題】
【００１２】
この発明は、上述した叙上に鑑みてなされたものであって、５レンズ群構成で、新規な変倍方式により、高変倍比の投射用ズームレンズの実現を課題とする。
【課題を解決するための手段】
【００１３】
この発明の投射用ズームレンズは、画像を被投射面に投射して拡大表示させる画像表示装置に用いられる投射用ズームレンズであって、拡大側から縮小側へ向かって第１レンズ群乃至第５レンズ群を配してなる５レンズ群構成であり、第１レンズ群は、負の屈折力を有し、第２レンズ群は、負の屈折力を有し、第３レンズ群は、正の屈折力を有し、広角端から望遠端への変倍に際し、第３レンズ群が拡大側に移動し、第４レンズ群が拡大側に移動し、変倍時の第３レンズ群の移動量D3、変倍時の第４レンズ群の移動量D4が、条件：
（１）  ０．０５  ＜  Ｄ３／Ｄ４  ＜  １．１０
を満足することを特徴とする。
【発明の効果】
【００１４】
この発明の投射用ズームレンズは、変倍の際の諸収差の変動を有効に抑制して、高い変倍比と広画角を実現できる。
なお、以下において「〜」は「乃至」を略した記号である。
【図面の簡単な説明】
【００１５】
【図１】実施例１の投射用ズームレンズの構成を示す断面図である。
【図２】実施例１の投射用ズームレンズの収差曲線図である。
【図３】実施例２の投射用ズームレンズの構成を示す断面図である。
【図４】実施例２の投射用ズームレンズの収差曲線図である。
【図５】実施例３の投射用ズームレンズの構成を示す断面図である。
【図６】実施例３の投射用ズームレンズの収差曲線図である。
【図７】実施例４の投射用ズームレンズの構成を示す断面図である。
【図８】実施例４の投射用ズームレンズの収差曲線図である。
【図９】実施例５の投射用ズームレンズの構成を示す断面図である。
【図１０】実施例５の投射用ズームレンズの収差曲線図である。
【図１１】実施例６の投射用ズームレンズの構成を示す断面図である。
【図１２】実施例６の投射用ズームレンズの収差曲線図である。
【図１３】実施例７の投射用ズームレンズの構成を示す断面図である。
【図１４】実施例７の投射用ズームレンズの収差曲線図である。
【図１５】実施例８の投射用ズームレンズの構成を示す断面図である。
【図１６】実施例８の投射用ズームレンズの収差曲線図である。
【図１７】実施例９の投射用ズームレンズの構成を示す断面図である。
【図１８】実施例９の投射用ズームレンズの収差曲線図である。
【図１９】実施例１０の投射用ズームレンズの構成を示す断面図である。
【図２０】実施例１０の投射用ズームレンズの収差曲線図である。
【図２１】実施例１１の投射用ズームレンズの構成を示す断面図である。
【図２２】実施例１１の投射用ズームレンズの収差曲線図である。
【図２３】実施例１２の投射用ズームレンズの構成を示す断面図である。
【図２４】実施例１２の投射用ズームレンズの収差曲線図である。
【図２５】実施例１３の投射用ズームレンズの構成を示す断面図である。
【図２６】実施例１３の投射用ズームレンズの収差曲線図である。
【図２７】実施例１４の投射用ズームレンズの構成を示す断面図である。
【図２８】実施例１４の投射用ズームレンズの収差曲線図である。
【図２９】画像表示装置としてのプロジェクタ装置の概略構成図である。
【発明を実施するための形態】
【００１６】
以下、発明の実施の形態を説明する。
【００１７】
この発明のズームレンズは、上記の如く「投射用ズームレンズ」である。  
「投射用のレンズ」は結像光線が「斜光線」であり、この発明の投射用ズームレンズも、投射画像を結像する投射用光束としては「斜光線の光束」が用いられる。
【００１８】
図１、図３、図５、図７、図９、図１１、図１３、図１５、図１７、図１９、図２１、図２３、図２５、図２７に、投射用ズームレンズの実施の形態を１４例示す。
【００１９】
これらの実施の形態のズームレンズは、この順に、後述する具体的な実施例１〜１４に相当する。  
上記各図において、図の左方が「拡大側」、右方が「縮小側」である。繁雑を避けるために、これらの図において符号を共通化する。  
上記各図において、符号Ｇ１は第１レンズ群、符号Ｇ２は第２レンズ群、符号Ｇ３は第３レンズ群、符号Ｇ４は第４レンズ群、符号Ｇ５は第５レンズ群をそれぞれ示す。
【００２０】
即ち、上記各図に実施の形態を示す投射用ズームレンズは、拡大側から縮小側へ向かって第１レンズ群Ｇ１〜第５レンズ群Ｇ５を配してなる５レンズ群構成である。
【００２１】
また、第３レンズ群Ｇ３以下に「開口絞り」が配置されている。
【００２２】
さらに、上記各図において、符号ＣＧは「画像表示素子（ライトバルブ）のカバーガラス」を示す。
【００２３】
また、個々のレンズについては、第ｉレンズ群Ｇｉ（ｉ＝１〜５）において、拡大側から数えてｊ番目のレンズを符号Ｌｉｊで表す。
【００２４】
これら実施の形態・実施例において、ライトバルブとしては「微小ミラーデバイスであるＤＭＤ」を想定しているが、勿論、ライトバルブがこれに限定される訳ではない。
【００２５】
上記各図の、上段の図は「広角端におけるレンズ群配置（広角と表示）」を示し、下段の図は「望遠端におけるレンズ群配置（望遠と表示）」を示す。
【００２６】
また、これ等の図における上段の図と下段の図の間に描かれた矢印は、広角端から望遠端への変倍の際の、第２レンズ群Ｇ２〜第５レンズ群Ｇ５の変移の方向を示す。
【００２７】
上記各図に実施の形態を示す投射用ズームレンズにおいて、第１レンズ群Ｇ１と第２レンズ群Ｇ２とはともに負の屈折力を有し、第３レンズ群は正の屈折力を有する。  
即ち、第１レンズ群〜第５レンズ群において、第１レンズ群Ｇ１〜第３レンズ群Ｇ３の屈折力配分は「負・負・正」である。
【００２８】
第４レンズ群Ｇ４、第５レンズ群Ｇ５の屈折力は、第４レンズ群が正で、第５レンズ群が「正または負」であることができる。  
第４レンズ群Ｇ４、第５レンズ群Ｇ５の屈折力はまた、第４レンズ群が負で、第５レンズ群が「正または負」であることができる。  
【００２９】
広角端から望遠端への変倍に際しては、第２レンズ群Ｇ２が縮小側へ移動し、第３レンズ群Ｇ３が拡大側へ移動し、第４レンズ群Ｇ４が拡大側に移動する。
【００３０】
また、第２レンズ群Ｇ２が縮小側に移動することにより「変倍に伴う収差変動」を小さくすることが可能となる。
【００３１】
また、第３レンズ群Ｇ３と第４レンズ群Ｇ４が拡大側に移動することにより、変倍を効率よく行うことができ、収差変動も小さくできる。
【００３２】
これにより、変倍比を１．４５倍以上とすることが可能であるが、１．４５倍以下でも変倍時の収差変動が小さいことは言うまでも無い。
【００３３】
広角端から望遠端への変倍に際しての、第２レンズ群の縮小側への変位は「緩やかで単調」であるか、もしくは「縮小側に凸となる軌跡」を描いて移動するのが良い。
【００３４】
「縮小側に凸となる軌跡」は、第２レンズ群の変倍に際しての移動領域を小さくする効果があり、投射用ズームレンズのコンパクト化に資するものである。
【００３５】
また、第４レンズ群が正レンズであり、第３レンズ群と第４レンズ群は１枚乃至２枚の正レンズで構成されており、第３レンズ群と第４レンズ群の合計レンズ枚数は３枚以下で構成されることで、変倍の際に効果的に変倍させることが可能であり、かつ、変倍時の収差変動を小さく抑えることが可能となる。
【００３６】
また、第４レンズ群が正レンズであり、前記第３レンズ群と第４レンズ群のレンズのｄ線の屈折率において、前記第３レンズ群の最も拡大側のレンズが最も大きく、前記第４レンズ群の最も縮小側のレンズが最も小さくなっている。  
段階的に屈折率を小さくすることによって、光線屈折角を段階的に小さくすることができ、最適な収差補正が可能となる。
【００３７】
また、前記第３レンズ群の最も拡大側のレンズのｄ線の屈折率が１．７以上で、前記第４レンズ群の最も縮小側のレンズのｄ線の屈折率が１．５以下であることによって、発生する収差を効果的に抑制させることが可能となる。
なお、レンズのｄ線の屈折率は言うまでもなく「レンズの材質のｄ線の屈折率」である。
【００３８】
また、広角端から望遠端への変倍に際しては、第１レンズ群Ｇ１が固定されている。
【００３９】
第１レンズ群Ｇ１が変倍に際して固定されるため、変倍に際して、画像形成装置に装備された投射用ズームレンズの外形が変化しない。
【００４０】
条件（１）は、広角端から望遠端への変倍に際して、変倍比が１．４５倍以上で、変倍全域の広角から望遠全域における高性能を保持するための条件である。
【００４１】
条件（１）の上限または下限を超えると、変倍時における「特に望遠側の諸収差」の変動が大きくなる。
また、投射用ズームレンズは、広角端における半画角：ωｗが、条件：
（２）  ３４度  ≦  ωｗ  ＜  ４５度  
を満足することが好ましい。
条件（２）を満足することにより、極めて広画角の投射用ズームレンズを実現できる。
上述の如く、第４、第５レンズ群Ｇ４、Ｇ５の屈折力の組み合わせとしては「正・負」、「正・正」、「負・負」、「負・正」の組み合わせが可能である。
第４レンズ群の屈折力を「負」とする場合、上記条件（１）の範囲のうち条件：
（１Ａ）  １．００  ＜  Ｄ３／Ｄ４  ＜  １．１０
を満足するのがよい。
また、この条件（１Ａ）とともに、条件（２）の範囲のうち条件：
（２Ａ）  ４３度＜ωｗ＜４５度  
を満足するのがよい。これら条件（１Ａ）乃至（２Ａ）は条件（１）乃至（２）の範囲内である。
第４レンズ群が「負」の屈折力を持つ構成では、条件（１Ａ）を満足することにより、条件（１）の機能を同様に機能させることができる。
また、条件（１Ａ）とともに条件（２Ａ）を満足することにより、条件（２Ａ）の画角範囲で、条件（１）の機能を同様に機能させることができる。
また、第４レンズ群の屈折力を「正」とする場合、上記条件（１）の範囲のうち条件：
（１Ｂ）  ０．０５  ＜  Ｄ３／Ｄ４  ＜  １．１０
を満足するのがよい。
また、この条件（１Ｂ）とともに、条件（２）の範囲のうち条件：
（２Ｂ）  ３４度≦＜ωｗ＜４５度  
を満足するのがよい。これら条件（１Ｂ）乃至（２Ｂ）は条件（１）乃至（２）の範囲内である。
第４レンズ群が「正」の屈折力を持つ構成では、条件（１Ｂ）を満足することにより、条件（１）の機能を同様に機能させることができる。
また、条件（１Ｂ）とともに条件（２Ｂ）を満足することにより、条件（２Ｂ）の画角範囲で、条件（１）の機能を同様に機能させることができる。
【００４２】
ズームレンズの具体的な実施例を挙げる前に、図２９を参照して、画像表示装置であるプロジェクタ装置の形態を簡単に説明する。
【００４３】
図２９に示すプロジェクタ装置１は、ライトバルブ３として、微小ミラーデバイスであるＤＭＤを採用した例である。
【００４４】
ＤＭＤ等の微小ミラーデバイスでは、画像表示面にアレイ配列されたマイクロミラーを選択的に傾斜させて画像の表示を行う。
【００４５】
マイクロミラーの傾斜角は±１０度程度となっており、傾斜角の切換により、有効な反射光（有効光）と無効な反射光（無効光）を切り替える。  
微小ミラーデバイスをライトバルブとして用いる場合、投射用ズームレンズは、上記有効光を良好に取り込むとともに、無効光を出来る限り取り込まないことが必要である。
【００４６】
この必要性に応じるために、投射用ズームレンズは「マイクロミラーをアレイ配列した画像表示面の法線方向」に配置されるのが好ましい。
【００４７】
このような投射用ズームレンズの配置では、照明系の光源を、投射用ズームレンズに隣接させて設置する必要がある。
【００４８】
このため、投射用ズームレンズの縮小側部分が、画像表示面に対して照明光を遮光しないように、投射用ズームレンズのライトバルブ側のレンズ径を小さくする必要がある。
【００４９】
図２９に示すプロジェクタ装置１は、照明系２と、ライトバルブであるＤＭＤ３と、投射用ズームレンズ４とを有する。
【００５０】
投射用ズームレンズ４としては、請求項１〜１６の任意の１に記載されたもの、具体的には実施例１〜１４の何れかのものを用いる。
【００５１】
照明系２から「ＲＧＢ３色の光」を時間的に分離してＤＭＤ３に照射し、各色光が照射されるタイミングで個々の画素に対応するマイクロミラーの傾斜を制御する。
【００５２】
このようにしてＤＭＤ３に「投射されるべき画像」が表示され、該画像により強度変調された光が、投射用ズームレンズ４で拡大され、スクリーン５に拡大投射される。
即ち、投射用ズームレンズ４は、画像を被投射面に投射して拡大表示させる。
【００５３】
照明系２は、光源２１、コンデンサーレンズＣＬ、ＲＧＢカラーホイールＣＷ、ミラーＭを備えており、これを配置するスペースを「ある程度大きく確保」する必要がある。
【００５４】
このため、照明系２からＤＭＤ３に入射させる照明光の入射角をある程度大きくする必要がある。  
投射用ズームレンズ４と照明系２のスペースの上記の如き関係上、投射用ズームレンズ４のバックフォーカスをある程度確保する必要がある。
【００５５】
なお、コンデンサーレンズＣＬ、ＲＧＢカラーホイールＣＷとミラーＭとは「照明光学系」を構成する。
【実施例】
【００５６】
以下に、この発明の投射用ズームレンズの具体的な実施例を１４例挙げる。
なお、以下では、正の屈折力を持つレンズ群を「正群」、負の屈折力を持つレンズ群を「負群」と称する。
【００５７】
各実施例における記号の意味は以下の通りである。
Ｆ：光学系全体の焦点距離  
Ｆｎｏ：開口数
Ｒ：曲率半径（非球面にあっては「近軸曲率半径」）
Ｄ：面間隔
Ｎｄ：屈折率
Ｖｄ：アッベ数  
ＢＦ：バックフォーカス                                  。
【００５８】
非球面は、周知の次式により表される。
【００５９】
Ｘ＝(Ｈ２／Ｒ)／[１＋{１−Ｋ(Ｈ／ｒ)２}１／２］  
＋Ｃ４・Ｈ４＋Ｃ６・Ｈ６＋Ｃ８・Ｈ８＋Ｃ１０・Ｈ１０＋・・・          。
【００６０】
この式において、Ｘは「面頂点を基準としたときの光軸からの高さＨの位置での光軸方向の変位」、Ｋは「円錐係数」、Ｃ４、Ｃ６、Ｃ８、Ｃ１０・・は非球面係数である。
【００６１】
「実施例１」
実施例１の投射用ズームレンズは、図１に示したものである。
【００６２】
図１に示すように、第１レンズ群Ｇ１はレンズＬ１１〜Ｌ１３で構成され、第２レンズ群Ｇ２はレンズＬ２１〜Ｌ２４で構成されている。
【００６３】
第３レンズ群Ｇ３は１枚のレンズＬ３１で構成され、第４レンズ群Ｇ４は２枚のレンズＬ４１とＬ４２で構成されている。
【００６４】
第５レンズ群Ｇ５は４枚のレンズＬ５１〜Ｌ５４で構成されている。
【００６５】
前述の如く、ライトバルブとしてはＤＭＤが想定され、ＤＭＤはカバーガラスＣＧを有する。
【００６６】
広角端から望遠端に変倍する際、第２レンズ群Ｇ２は縮小側に移動し、第３レンズ群Ｇ３〜第５レンズ群Ｇ５は拡大側に移動する。
【００６７】
第１レンズ群Ｇ１は負群で、拡大側に凸の負メニスカスレンズＬ１１、拡大側に凹面を向けた負レンズＬ１２、縮小側に凹の負メニスカスレンズＬ１３で構成されている。
【００６８】
第２レンズ群Ｇ２は負群で、両凸レンズＬ２１、両凹レンズＬ２２、縮小側に凸の正メニスカスレンズＬ２３、拡大側に凹の負メニスカスレンズＬ２４で構成されている。
【００６９】
正メニスカスレンズＬ２３と負メニスカスレンズＬ２４は接合されている。
【００７０】
第３レンズ群Ｇ３は正群で、１枚の両凸レンズＬ３１で構成されている。  
第４レンズ群Ｇ４は正群で、拡大側に凸の正メニスカスレンズＬ４１、拡大側に凸の正メニスカスレンズＬ４２で構成されている。
【００７１】
第５レンズ群Ｇ５は負群で、拡大側に凸の負メニスカスレンズＬ５１、両凸レンズＬ５２、拡大側に凹の負メニスカスレンズＬ５３、両凸レンズＬ５４で構成されている。
【００７２】
負メニスカスレンズＬ５１と両凸レンズＬ５２とは接合されている。
【００７３】
なお、実施例１〜１４に関する説明において、「両凸レンズ」は正レンズであり、「両凹レンズ」は負レンズである。
【００７４】
実施例１の、全系の焦点距離：Ｆの範囲、Ｆナンバ、広角端における半画角：ωｗは、以下のとおりである。
【００７５】
Ｆ＝１３．０〜１９．６ｍｍ、Ｆｎｏ＝２．５５〜３．３４、ωｗ＝４２．１°
実施例１のデータを表１に示す。
【００７６】
【表１】
2014142592.tif 000003
【００７７】
表１において、面番号は拡大側から数えた面の番号であり、開口絞りの面（表中の面番号：２０）、カバーガラスＣＧの面（表中の面番号：２８、２９）を含む。
【００７８】
また、表中における「INF」は、曲率半径が無限大であることを示す。さらに、「＊」は、この記号が付された面が「非球面」であることを示す。
【００７９】
これらの事項は、実施例２以下の各実施例においても同様である。
【００８０】
「非球面のデータ」
非球面のデータを表２に示す。
【００８１】
【表２】
2014142592.tif 000004
【００８２】
表１において、Ｓ６、Ｓ１３、Ｓ１５、Ｓ２０は、変倍に際して変化するレンズ群間隔を表す。
【００８３】
投射距離を１６００ｍｍとしたときの、上記レンズ群間隔を、広角端・中間・望遠端について、表３に示す。
【００８４】
【表３】
2014142592.tif 000005
【００８５】
「各条件のパラメータの値」
条件（１）のパラメータの値を、表４に示す。
【００８６】
【表４】
2014142592.tif 000006
【００８７】
図２に、実施例１の収差図を示す。  
図２の上段は「広角端（「広角」と表示）」、中段は「中間焦点距離（「中間」と表示）、下段は「望遠端（「望遠」と表示）」の収差を示している。
【００８８】
各段の収差図において、左側の図は「球面収差」、中央の図は「非点収差」、右側の図は「歪曲収差」である。
【００８９】
「球面収差」の図におけるＲ、Ｇ、Ｂはそれぞれ、波長：Ｒ＝６２５ｎｍ、Ｇ＝５５０ｎｍ、Ｂ＝４６０ｎｍを表す。  
「非点収差」の図における「Ｔ」はタンジェンシアル、「Ｓ」はサジタルの各光線に対するものであることを示す。
【００９０】
なお、非点収差および歪曲収差については、波長：５５０ｎｍについて示す。
【００９１】
収差図におけるこれ等の表示は以下の実施例２〜１４の収差図においても同様である。
【００９２】
「実施例２」
実施例２の投射用ズームレンズは、図３に示したものである。
【００９３】
図３に示すように、第１レンズ群Ｇ１はレンズＬ１１〜Ｌ１３で構成され、第２レンズ群Ｇ２はレンズＬ２１〜Ｌ２４で構成されている。  
第３レンズ群Ｇ３は１枚のレンズＬ３１で構成され、第４レンズ群Ｇ４はレンズＬ４１とＬ４２で構成され、第５レンズ群Ｇ５はレンズＬ５１〜Ｌ５４で構成されている。
【００９４】
広角端から望遠端への変倍に際して、第２レンズ群Ｇ２は縮小側に移動し、第３レンズ群Ｇ３〜第５レンズ群Ｇ５は拡大側に移動する。
【００９５】
第１レンズ群Ｇ１は負群で、拡大側に凸の負メニスカスレンズＬ１１、拡大側に凹面の負レンズＬ１２、縮小側に凹の負メニスカスレンズＬ１３から構成されている。
【００９６】
第２レンズ群Ｇ２は負群で、両凸レンズＬ２１、両凹レンズＬ２２、縮小側に凸の正メニスカスレンズＬ２３、拡大側に凹の負メニスカスレンズＬ２４で構成されている。
【００９７】
正メニスカスレンズＬ３２と負メニスカスレンズＬ２４は接合されている。
【００９８】
第３レンズ群Ｇ３は正群で、１枚の両凸レンズＬ３１で構成されている。
【００９９】
第４レンズ群Ｇ４は正群で、拡大側に凸の正メニスカスレンズＬ４１、拡大側の凸面の曲率が大きい両凸レンズＬ４２で構成されている。
【０１００】
第５レンズ群Ｇ５は負群で、両凹レンズＬ５１、両凸レンズＬ５２、拡大側に凹の負メニスカスレンズＬ５３、両凸レンズＬ５４で構成されている。
【０１０１】
両凹レンズＬ５１と両凸レンズＬ５２は接合されている。
【０１０２】
実施例２の、全系の焦点距離：Ｆの範囲、Ｆナンバ、広角端における半画角：ωｗは、以下のとおりである。
【０１０３】
Ｆ＝１３．０〜１９．６ｍｍ、Ｆｎｏ＝２．５５〜３．３４、ωｗ＝４２．１°
実施例２のデータを表５に示す。
【０１０４】
【表５】
2014142592.tif 000007
【０１０５】
「非球面のデータ」
非球面のデータを表６に示す。
【０１０６】
【表６】
2014142592.tif 000008
【０１０７】
投射距離を１６００ｍｍとしたときの、レンズ群間隔：Ｓ６、Ｓ１３、Ｓ１５、Ｓ２０を、広角端・中間・望遠端について、表７に示す。
【０１０８】
【表７】
2014142592.tif 000009
【０１０９】
「各条件のパラメータの値」
条件（１）のパラメータの値を、表８に示す。
【０１１０】
【表８】
2014142592.tif 000010
【０１１１】
図４に、実施例２の収差図を図２に倣って示す。
【０１１２】
「実施例３」
実施例３の投射用ズームレンズは、図５に示したものである。
【０１１３】
図５に示すように、第１レンズ群Ｇ１はレンズＬ１１〜Ｌ１３で構成され、第２レンズ群Ｇ２はレンズＬ２１〜Ｌ２４で構成されている。  
第３レンズ群Ｇ３はレンズＬ３１で構成され、第４レンズ群Ｇ４はレンズＬ４１とＬ４２で構成され、第５レンズ群Ｇ５はレンズＬ５１〜Ｌ５４で構成されている。
【０１１４】
広角端から望遠端への変倍に際して、第２レンズ群Ｇ２は縮小側に移動し、第３レンズ群Ｇ３〜第５レンズ群Ｇ５は拡大側に移動する。
【０１１５】
第１レンズ群Ｇ１は負群で、拡大側に凸の負メニスカスレンズＬ１１、拡大側に凹面の負レンズＬ１２、縮小側に凹面の負メニスカスレンズＬ１３で構成されている。
【０１１６】
第２レンズ群Ｇ２は負群で、両凸レンズＬ２１、両凹レンズＬ２２、縮小側に凸の正メニスカスレンズＬ２３、拡大側に凹の負メニスカスレンズＬ２４で構成されている。
【０１１７】
正メニスカスレンズＬ２３と負メニスカスレンズＬ２４は接合されている。
【０１１８】
第３レンズ群Ｇ３は正群で、１枚の両凸レンズＬ３１で構成されている。
【０１１９】
第４レンズ群Ｇ４は正群で、拡大側に凸の正メニスカスレンズＬ４１、両凸レンズＬ４２で構成されている。
【０１２０】
第５レンズ群Ｇ５は負群で、拡大側に凸の負メニスカスレンズＬ５１、両凸レンズＬ５２、拡大側に凹の負メニスカスレンズＬ５３、両凸レンズＬ５４で構成されている。
【０１２１】
負メニスカスレンズＬ５１と両凸レンズＬ５２は接合されている。
【０１２２】
実施例３の、全系の焦点距離：Ｆの範囲、Ｆナンバ、広角端における半画角：ωｗは、以下のとおりである。
【０１２３】
Ｆ＝１３．０〜１９．６ｍｍ、Ｆｎｏ＝２．５５〜３．３４、ωｗ＝４２．１°
実施例３のデータを表９に示す。
【０１２４】
【表９】
2014142592.tif 000011
【０１２５】
「非球面のデータ」
非球面のデータを表１０に示す。
【０１２６】
【表１０】
2014142592.tif 000012
【０１２７】
投射距離を１６００ｍｍとしたときの、レンズ群間隔：Ｓ６、Ｓ１３、Ｓ１５、Ｓ２０を、広角端・中間・望遠端について、表１１に示す。
【０１２８】
【表１１】
2014142592.tif 000013
【０１２９】
「各条件のパラメータの値」
条件（１）のパラメータの値を、表１２に示す。
【０１３０】
【表１２】
2014142592.tif 000014
【０１３１】
図６に、実施例３の収差図を図２に倣って示す。
【０１３２】
「実施例４」
実施例４の投射用ズームレンズは、図７に示したものである。
【０１３３】
図７に示すように、第１レンズ群Ｇ１はレンズＬ１１〜Ｌ１３で構成され、第２レンズ群Ｇ２はレンズＬ２１〜Ｌ２４で構成されている。  
第３レンズ群Ｇ３はレンズＬ３１とＬ３２で構成され、第４レンズ群Ｇ４はレンズＬ４１で構成され、第５レンズ群Ｇ５はレンズＬ５１〜Ｌ５４で構成されている。
【０１３４】
広角端から望遠端への変倍に際して、第２レンズ群Ｇ２は縮小側に移動し、第３レンズ群Ｇ３〜第５レンズ群Ｇ５は拡大側に移動する。
【０１３５】
第１レンズ群Ｇ１は負群で、拡大側に凸の負メニスカスレンズＬ１１、拡大側に凹の負メニスカスレンズＬ１２、縮小側に凹の負メニスカスレンズＬ１３で構成されている。
【０１３６】
第２レンズ群Ｇ２は負群で、両凸レンズＬ２１、両凹レンズＬ２２、縮小側に凸の正メニスカスレンズＬ２３、拡大側に凹の負メニスカスレンズＬ２４で構成されている。  
正メニスカスレンズＬ２３と負メニスカスレンズＬ２４は接合されている。
【０１３７】
第３レンズ群Ｇ３は正群で、両凸レンズＬ３１、拡大側に凸の正メニスカスレンズＬ３２で構成されている。
【０１３８】
第４レンズ群Ｇ４は正群で、両凸レンズＬ４１で構成されている。
【０１３９】
第５レンズ群Ｇ５は負群で、縮小側に凹の負メニスカスレンズＬ５１、両凸レンズＬ５２、拡大側に凹の負メニスカスレンズＬ５３、両凸レンズＬ５４で構成されている。
【０１４０】
負メニスカスレンズＬ５１と両凸レンズＬ５２は接合されている。
【０１４１】
実施例４の、全系の焦点距離：Ｆの範囲、Ｆナンバ、広角端における半画角：ωｗは、以下のとおりである。
【０１４２】
Ｆ＝１３．０〜１９．６ｍｍ、Ｆｎｏ＝２．５５〜３．３４、ωｗ＝４２．１°
実施例４のデータを表１３に示す。
【０１４３】
【表１３】
2014142592.tif 000015
【０１４４】
「非球面のデータ」
非球面のデータを表１４に示す。
【０１４５】
【表１４】
2014142592.tif 000016
【０１４６】
投射距離を１６００ｍｍとしたときの、レンズ群間隔：Ｓ６、Ｓ１３、Ｓ１７、Ｓ２０を、広角端・中間・望遠端について、表１５に示す。
【０１４７】
【表１５】
2014142592.tif 000017
【０１４８】
「各条件のパラメータの値」
条件（１）のパラメータの値を、表１６に示す。
【０１４９】
【表１６】
2014142592.tif 000018
【０１５０】
図８に、実施例４の収差図を図２に倣って示す。
【０１５１】
「実施例５」
実施例５の投射用ズームレンズは、図９に示したものである。
【０１５２】
図９に示すように、第１レンズ群Ｇ１はレンズＬ１１〜Ｌ１３で構成され、第２レンズ群Ｇ２はレンズＬ２１〜Ｌ２４で構成されている。
【０１５３】
第３レンズ群Ｇ３は１枚のレンズＬ３１で構成され、第４レンズ群Ｇ４は１枚のレンズＬ４１で構成され、第５レンズ群Ｇ５はレンズＬ５１〜Ｌ５４で構成されている。
【０１５４】
広角端から望遠端への変倍に際して、第２レンズ群Ｇ２は縮小側に移動し、第３レンズ群Ｇ３〜第５レンズ群Ｇ５は拡大側に移動する。
【０１５５】
第１レンズ群Ｇ１は負群で、拡大側に凸の負メニスカスレンズＬ１１、拡大側に凹面の負レンズＬ１２、縮小側に凹の負メニスカスレンズＬ１３で構成されている。
【０１５６】
第２レンズ群Ｇ２は負群で、両凸レンズＬ２１、両凹レンズＬ２２、縮小側に凸の正メニスカスレンズＬ２３、拡大側に凹の負メニスカスレンズＬ２４で構成されている。  
正メニスカスレンズＬ２３と負メニスカスレンズＬ２４は接合されている。
【０１５７】
第３レンズ群Ｇ３は正群で、１枚の両凸レンズＬ３１で構成されている。
【０１５８】
第４レンズ群Ｇ４は正群で、１枚の両凸レンズＬ４１で構成されている。
【０１５９】
第５レンズ群Ｇ５は負群で、両凹レンズＬ５１、両凸レンズＬ５２、拡大側に凹の負メニスカスレンズＬ５３、両凸レンズＬ５４で構成されている。
【０１６０】
両凸レンズＬ５１と両凹レンズＬ５２は接合されている。
【０１６１】
実施例４の、全系の焦点距離：Ｆの範囲、Ｆナンバ、広角端における半画角：ωｗは、以下のとおりである。
【０１６２】
Ｆ＝１３．０〜１９．６ｍｍ、Ｆｎｏ＝２．５５〜３．３５、ωｗ＝４２．１°
実施例５のデータを表１７に示す。
【０１６３】
【表１７】
2014142592.tif 000019
【０１６４】
「非球面のデータ」
非球面のデータを表１８に示す。
【０１６５】
【表１８】
2014142592.tif 000020
【０１６６】
投射距離を１６００ｍｍとしたときの、レンズ群間隔：Ｓ６、Ｓ１３、Ｓ１５、Ｓ１８を、広角端・中間・望遠端について、表１９に示す。
【０１６７】
【表１９】
2014142592.tif 000021
【０１６８】
「各条件のパラメータの値」
条件（１）のパラメータの値を、表２０に示す。
【０１６９】
【表２０】
2014142592.tif 000022
【０１７０】
図１０に、実施例５の収差図を図２に倣って示す。
【０１７１】
「実施例６」
実施例６の投射用ズームレンズは、図１１に示したものである。
【０１７２】
図１１に示すように、第１レンズ群Ｇ１はレンズＬ１１〜Ｌ１３で構成され、第２レンズ群Ｇ２はレンズＬ２１〜Ｌ２４で構成されている。
【０１７３】
第３レンズ群Ｇ３は１枚のレンズＬ３１で構成され、第４レンズ群Ｇ４はＬ４１とＬ４２で構成され、第５レンズ群Ｇ５はレンズＬ５１〜Ｌ５４で構成されている。
【０１７４】
広角端から望遠端への変倍に際して、第２レンズ群Ｇ２は縮小側に移動し、第３レンズ群Ｇ３〜第５レンズ群Ｇ５は拡大側に移動する。
【０１７５】
第１レンズ群Ｇ１は負群で、拡大側に凸の負メニスカスレンズＬ１１、拡大側に凹面の負レンズＬ１２、縮小側に凹の負メニスカスレンズＬ１３で構成されている。
【０１７６】
第２レンズ群Ｇ２は負群で、両凸レンズＬ２１、縮小側に凹の負メニスカスレンズＬ２２、正メニスカスレンズＬ２３、負メニスカスレンズＬ２４で構成されている。
【０１７７】
正メニスカスレンズＬ２３は「縮小側に凸」、負メニスカスレンズＬ２４は「拡大側に凹」であり、これ等正負のメニスカスレンズＬ２３、Ｌ２４は接合されている。
【０１７８】
第３レンズ群Ｇ３は正群で、１枚の両凸レンズＬ３１で構成されている。
【０１７９】
第４レンズ群Ｇ４は正群で、拡大側に凸の正メニスカスレンズＬ４１、両凸レンズＬ４２で構成されている。
【０１８０】
第５レンズ群Ｇ５は正群で、両凹レンズＬ５１、両凸レンズＬ５２、拡大側に凹の負メニスカスレンズＬ５３、両凸レンズＬ５４で構成されている。
【０１８１】
両凹レンズＬ５１と両凸レンズＬ５２は接合されている。
【０１８２】
実施例６の、全系の焦点距離：Ｆの範囲、Ｆナンバ、広角端における半画角：ωｗは、以下のとおりである。
【０１８３】
Ｆ＝１３．０〜１９．６ｍｍ、Ｆｎｏ＝２．５８〜３．２４、ωｗ＝４２．１°
実施例６のデータを表２１に示す。
【０１８４】
【表２１】
2014142592.tif 000023
【０１８５】
「非球面のデータ」
非球面のデータを表２２に示す。
【０１８６】
【表２２】
2014142592.tif 000024
【０１８７】
投射距離を１６００ｍｍとしたときの、レンズ群間隔：Ｓ６、Ｓ１３、Ｓ１５、Ｓ２０を、広角端・中間・望遠端について、表２３に示す。
【０１８８】
【表２３】
2014142592.tif 000025
【０１８９】
「各条件のパラメータの値」
条件（１）のパラメータの値を、表２４に示す。
【０１９０】
【表２４】
2014142592.tif 000026
【０１９１】
図１２に、実施例６の収差図を図２に倣って示す。
【０１９２】
「実施例７」
実施例７の投射用ズームレンズは、図１３に示したものである。
【０１９３】
図１３に示すように、第１レンズ群Ｇ１はレンズＬ１１〜Ｌ１３で構成され、第２レンズ群Ｇ２はレンズＬ２１〜Ｌ２４で構成されている。
【０１９４】
第３レンズ群Ｇ３は１枚のレンズＬ３１で構成され、第４レンズ群Ｇ４はレンズＬ４１とＬ４２で構成され、第５レンズ群Ｇ５はレンズＬ５１〜Ｌ５４で構成されている。
【０１９５】
広角端から望遠端への変倍に際して、第２レンズ群Ｇ２は縮小側に移動し、第３レンズ群Ｇ３〜第５レンズ群Ｇ５は拡大側に移動する。
【０１９６】
第１レンズ群Ｇ１は負群で、拡大側に凸の負メニスカスレンズＬ１１、拡大側に凹面の負レンズＬ１２、縮小側に凹面の負メニスカスレンズＬ１３で構成されている。
【０１９７】
第２レンズ群Ｇ２は負群で、両凸レンズＬ２１、縮小側に凹の負メニスカスレンズＬ２２、正メニスカスレンズＬ２３、負メニスカスレンズＬ２４で構成されている。
【０１９８】
正メニスカスレンズＬ２３は「縮小側に凸」、負メニスカスレンズＬ２４は拡大側に凹であり、これら正負のメニスカスレンズＬ２３、Ｌ２４は接合されている。
【０１９９】
第３レンズ群Ｇ３は正群で、１枚の両凸レンズＬ３１で構成されている。
【０２００】
第４レンズ群Ｇ４は正群で、拡大側に凸の正メニスカスレンズＬ４１、両凸レンズＬ４２で構成されている。
【０２０１】
第５レンズ群Ｇ５は正群で、両凹レンズＬ５１、両凸レンズＬ５２、拡大側に凹の負メニスカスレンズＬ５３、両凸レンズＬ５４で構成されている。
【０２０２】
両凹レンズＬ５１と両凸レンズＬ５２は接合されている。
【０２０３】
実施例７の、全系の焦点距離：Ｆの範囲、Ｆナンバ、広角端における半画角：ωｗは、以下のとおりである。
【０２０４】
Ｆ＝１３．０〜１９．６ｍｍ、Ｆｎｏ＝２．５８〜３．２４、ωｗ＝４２．１°
実施例７のデータを表２５に示す。
【０２０５】
【表２５】
2014142592.tif 000027
【０２０６】
「非球面のデータ」
非球面のデータを表２６に示す。
【０２０７】
【表２６】
2014142592.tif 000028
【０２０８】
投射距離を１６００ｍｍとしたときの、レンズ群間隔：Ｓ６、Ｓ１３、Ｓ１５、Ｓ２０を、広角端・中間・望遠端について、表２７に示す。
【０２０９】
【表２７】
2014142592.tif 000029
【０２１０】
「各条件のパラメータの値」
条件（１）のパラメータの値を、表２８に示す。
【０２１１】
【表２８】
2014142592.tif 000030
【０２１２】
図１４に、実施例７の収差図を図２に倣って示す。
【０２１３】
「実施例８」
実施例８の投射用ズームレンズは、図１５に示したものである。
【０２１４】
図１５に示すように、第１レンズ群Ｇ１はレンズＬ１１〜Ｌ１３で構成され、第２レンズ群Ｇ２はレンズＬ２１〜Ｌ２４で構成されている。  
第３レンズ群Ｇ３は１枚のレンズＬ３１で構成され、第４レンズ群Ｇ４はレンズＬ４１とＬ４２で構成され、第５レンズ群Ｇ５はレンズＬ５１〜Ｌ５４で構成されている。
【０２１５】
広角端から望遠端への変倍に際して、第２レンズ群Ｇ２は縮小側に移動し、第３レンズ群Ｇ３〜第５レンズ群Ｇ５は拡大側に移動する。
【０２１６】
第１レンズ群Ｇ１は負群で、拡大側に凸の負メニスカスレンズＬ１１、拡大側に凹面の負レンズＬ１２、縮小側に凹の負メニスカスレンズＬ１３で構成されている。
【０２１７】
第２レンズ群Ｇ２は負群で、両凸レンズＬ２１、両凹レンズＬ２２、縮小側に凸面の正メニスカスレンズＬ２３、拡大側に凹の負メニスカスレンズＬ２４で構成されている。
【０２１８】
正メニスカスレンズＬ２３と負メニスカスレンズＬ２４は接合されている。
【０２１９】
第３レンズ群Ｇ３は正群で、１枚の両凸レンズＬ３１で構成されている。
【０２２０】
第４レンズ群Ｇ４は正群で、拡大側に凸の正メニスカスレンズＬ４１、両凸レンズＬ４２で構成されている。
【０２２１】
第５レンズ群Ｇ５は負群で、拡大側に凸の負メニスカスレンズＬ５１、両凸レンズＬ５２、拡大側に凹の負メニスカスレンズＬ５３、両凸レンズＬ５４で構成されている。
【０２２２】
負メニスカスレンズＬ５１と両凸レンズＬ５２は接合されている。  
第５レンズ群Ｇ５の屈折力は負であるが、この負の屈折力は弱い。
【０２２３】
実施例８の、全系の焦点距離：Ｆの範囲、Ｆナンバ、広角端における半画角：ωｗは、以下のとおりである。
【０２２４】
Ｆ＝１４．２〜２１．１ｍｍ、Ｆｎｏ＝２．５５〜３．３４、ωｗ＝３９．６°
実施例８のデータを表２９に示す。
【０２２５】
【表２９】
2014142592.tif 000031
【０２２６】
「非球面のデータ」
非球面のデータを表３０に示す。
【０２２７】
【表３０】
2014142592.tif 000032
【０２２８】
投射距離を１６００ｍｍとしたときの、レンズ群間隔：Ｓ６、Ｓ１３、Ｓ１５、Ｓ２０を、広角端・中間・望遠端について、表３１に示す。
【０２２９】
【表３１】
2014142592.tif 000033
【０２３０】
「各条件のパラメータの値」
条件（１）のパラメータの値を、表３２に示す。
【０２３１】
【表３２】
2014142592.tif 000034
【０２３２】
図１６に、実施例８の収差図を図２に倣って示す。
【０２３３】
「実施例９」
実施例９の投射用ズームレンズは、図１７に示したものである。
【０２３４】
図１に示すように、第１レンズ群Ｇ１はレンズＬ１１〜Ｌ１３で構成され、第２レンズ群Ｇ２はレンズＬ２１〜Ｌ２４で構成されている。
【０２３５】
第３レンズ群Ｇ３は１枚のレンズＬ３１で構成され、第４レンズ群Ｇ４はレンズＬ４１とＬ４２で構成され、第５レンズ群Ｇ５はレンズＬ５１〜Ｌ５４で構成されている。
【０２３６】
広角端から望遠端への変倍に際して、第２レンズ群Ｇ２は縮小側に移動し、第３レンズ群Ｇ３〜第５レンズ群Ｇ５は拡大側に移動する。
【０２３７】
第１レンズ群Ｇ１は負群で、拡大側に凸の負メニスカスレンズＬ１１、拡大側に凹面の負レンズＬ１２、縮小側に凹の負メニスカスレンズＬ１３で構成されている。
【０２３８】
第２レンズ群Ｇ２は負群で、両凸レンズＬ２１、両凹レンズＬ２２、縮小側に凸の正メニスカスレンズＬ２３、拡大側に凹の負メニスカスレンズＬ２４で構成されている。
【０２３９】
正メニスカスレンズＬ２３と負メニスカスレンズＬ２４は接合されている。
【０２４０】
第３レンズ群Ｇ３は正群で、１枚の両凸レンズＬ３１で構成されている。
【０２４１】
第４レンズ群Ｇ４は正群で、拡大側に凸の正メニスカスレンズＬ４１、両凸レンズＬ４２で構成されている。
【０２４２】
第５レンズ群Ｇ５は屈折力の弱い負群で、拡大側に凸の負メニスカスレンズＬ５１、両凸レンズＬ５２、負メニスカスレンズＬ５３、両凸レンズＬ５４で構成されている。
【０２４３】
負メニスカスレンズＬ５３は「拡大側に凹」である。負メニスカスレンズＬ５１と両凸レンズＬ５２は接合されている。
【０２４４】
実施例９の、全系の焦点距離：Ｆの範囲、Ｆナンバ、広角端における半画角：ωｗは、以下のとおりである。
【０２４５】
Ｆ＝１３．８〜２０．５ｍｍ、Ｆｎｏ＝２．５５〜３．３４、ωｗ＝４０．４°
実施例９のデータを表３３に示す。
【０２４６】
【表３３】
2014142592.tif 000035
【０２４７】
「非球面のデータ」
非球面のデータを表３４に示す。
【０２４８】
【表３４】
2014142592.tif 000036
【０２４９】
投射距離を１６００ｍｍとしたときの、レンズ群間隔：Ｓ６、Ｓ１３、Ｓ１５、Ｓ２０を、広角端・中間・望遠端について、表３５に示す。
【０２５０】
【表３５】
2014142592.tif 000037
【０２５１】
「各条件のパラメータの値」
条件（１）のパラメータの値を、表３６に示す。
【０２５２】
【表３６】
2014142592.tif 000038
【０２５３】
図1８に、実施例９の収差図を図２に倣って示す。
【０２５４】
「実施例１０」
実施例１０の投射用ズームレンズは、図１９に示したものである。
【０２５５】
図１９に示すように、第１レンズ群Ｇ１はレンズＬ１１〜Ｌ１３で構成され、第２レンズ群Ｇ２はレンズＬ２１〜Ｌ２４で構成されている。
【０２５６】
第３レンズ群Ｇ３は1枚のレンズＬ３１で構成され、第４レンズ群Ｇ４はレンズＬ４１とＬ４２で構成され、第５レンズ群Ｇ５はレンズＬ５１〜Ｌ５４で構成されている。
【０２５７】
広角端から望遠端への変倍に際し、第２レンズ群Ｇ２は縮小側に移動し、第３レンズ群Ｇ３〜第５レンズ群Ｇ５は拡大側に移動する。
【０２５８】
第１レンズ群Ｇ１は負群で、拡大側に凸の負メニスカスレンズＬ１１、拡大側に凹面の負レンズＬ１２、縮小側に凹の負メニスカスレンズＬ１３で構成されている。
【０２５９】
第２レンズ群Ｇ２は負群で、両凸レンズＬ２１、両凹レンズＬ２２、縮小側に凸の正メニスカスレンズＬ２３、拡大側に凹の負メニスカスレンズＬ２４で構成されている。
【０２６０】
正メニスカスレンズＬ２３と負メニスカスレンズＬ２４は接合されている。
【０２６１】
第３レンズ群Ｇ３は正群で、１枚の両凸レンズＬ３１で構成されている。
【０２６２】
第４レンズ群Ｇ４は正群で、拡大側に凸の正メニスカスレンズＬ４１、両凸レンズＬ４２で構成されている。
【０２６３】
第５レンズ群Ｇ５は屈折力の弱い負群で、拡大側に凸面の負メニスカスレンズＬ５１、両凸レンズＬ５２、負メニスカスレンズＬ５３、両凸レンズＬ５４で構成されている。
【０２６４】
負メニスカスレンズＬ５３は「拡大側に凹」であり、負メニスカスレンズＬ５１、両凸レンズＬ５２は接合されている。
【０２６５】
実施例１０の、全系の焦点距離：Ｆの範囲、Ｆナンバ、広角端における半画角：ωｗは、以下のとおりである。
【０２６６】
Ｆ＝１２．４〜１８．５ｍｍ、Ｆｎｏ＝２．５６〜３．３４、ωｗ＝４３．３°
実施例１０のデータを表３７に示す。
【０２６７】
【表３７】
2014142592.tif 000039
【０２６８】
「非球面のデータ」
非球面のデータを表３８に示す。
【０２６９】
【表３８】
2014142592.tif 000040
【０２７０】
投射距離を１６００ｍｍとしたときの、レンズ群間隔：Ｓ６、Ｓ１３、Ｓ１５、Ｓ２０を、広角端・中間・望遠端について、表３９に示す。
【０２７１】
【表３９】
2014142592.tif 000041
【０２７２】
「各条件のパラメータの値」
条件（１）のパラメータの値を、表４０に示す。
【０２７３】
【表４０】
2014142592.tif 000042
【０２７４】
図２０に、実施例１０の収差図を図２に倣って示す。
【０２７５】
「実施例１１」
実施例１１の投射用ズームレンズは、図２１に示したものである。
【０２７６】
図２１に示すように、第１レンズ群Ｇ１はレンズＬ１１〜Ｌ１３で構成され、第２レンズ群Ｇ２はレンズＬ２１〜Ｌ２４で構成されている。
【０２７７】
第３レンズ群Ｇ３は１枚のレンズＬ３１で構成され、第４レンズ群Ｇ４はレンズＬ４１とＬ４２で構成され、第５レンズ群Ｇ５はレンズＬ５１〜Ｌ５４で構成されている。
【０２７８】
広角端から望遠端への変倍に際して、第２レンズ群Ｇ２は縮小側に移動し、第３レンズ群Ｇ３〜第５レンズ群Ｇ５は拡大側に移動する。
【０２７９】
第１レンズ群Ｇ１は負群で、拡大側に凸の負メニスカスレンズＬ１１、拡大側に凹面の負レンズＬ１２、縮小側に凹の負メニスカスレンズＬ１３で構成されている。
【０２８０】
第２レンズ群Ｇ２は負群で、両凸レンズＬ２１、両凹レンズＬ２２、縮小側に凸の正メニスカスレンズＬ２３、拡大側に凹の負メニスカスレンズＬ２４で構成されている。
【０２８１】
正メニスカスレンズＬ２３と負メニスカスレンズＬ２４は接合されている。
【０２８２】
第３レンズ群Ｇ３は正群で、１枚の両凸レンズＬ３１で構成されている。
【０２８３】
第４レンズ群Ｇ４は正群で、拡大側に凸の正メニスカスレンズＬ４１、両凸レンズＬ４２で構成されている。
【０２８４】
第５レンズ群Ｇ５は屈折力が弱い負群で、拡大側に凸の負メニスカスレンズＬ５１、両凸レンズＬ５２、負メニスカスレンズＬ５３、両凸レンズＬ５４で構成されている。
【０２８５】
負メニスカスレンズＬ５３は「拡大側に凹」であり、負メニスカスレンズＬ５１と両凸レンズＬ５２は接合されている。
【０２８６】
実施例１１の、全系の焦点距離：Ｆの範囲、Ｆナンバ、広角端における半画角：ωｗは、以下のとおりである。
【０２８７】
Ｆ＝１１．８〜１７．６ｍｍ、Ｆｎｏ＝２．５６〜３．３４、ωｗ＝４４．８°
実施例１１のデータを表４１に示す。
【０２８８】
【表４１】
2014142592.tif 000043
【０２８９】
「非球面のデータ」
非球面のデータを表４２に示す。
【０２９０】
【表４２】
2014142592.tif 000044
【０２９１】
投射距離を１６００ｍｍとしたときの、レンズ群間隔：Ｓ６、Ｓ１３、Ｓ１５、Ｓ２０を、広角端・中間・望遠端について、表４３に示す。
【０２９２】
【表４３】
2014142592.tif 000045
【０２９３】
「各条件のパラメータの値」
条件（１）のパラメータの値を、表４４に示す。
【０２９４】
【表４４】
2014142592.tif 000046
【０２９５】
図２２に、実施例１１の収差図を図２に倣って示す。
【０２９６】
「実施例１２」
実施例１２の投射用ズームレンズは、図２３に示したものである。
【０２９７】
図２３に示すように、第１レンズ群Ｇ１はレンズＬ１１とＬ１２で構成され、第２レンズ群Ｇ２はレンズＬ２１〜Ｌ２４で構成されている。
【０２９８】
第３レンズ群Ｇ３はレンズＬ３１とＬ３２で構成され、第４レンズ群Ｇ４はレンズＬ４１〜Ｌ４４で構成され、第５レンズ群Ｇ５は１枚のレンズＬ５１で構成されている。
【０２９９】
広角端から望遠端への変倍に際して、第２レンズ群Ｇ２は縮小側に移動し、第３レンズ群Ｇ３〜第５レンズ群Ｇ５は拡大側に移動する。
【０３００】
第１レンズ群Ｇ１は負群で、拡大側に凸の負メニスカスレンズＬ１１、縮小側に凹面の負レンズＬ１２で構成されている。
【０３０１】
第２レンズ群Ｇ２は負群で、拡大側に凸の負メニスカスレンズＬ２１、拡大側に凸の正メニスカスレンズＬ２２、両凹レンズＬ２３、両凸レンズＬ２４で構成されている。
【０３０２】
負メニスカスレンズＬ２１と正メニスカスレンズＬ２２は接合されている。
【０３０３】
第３レンズ群Ｇ３は正群で、拡大側に凸の正メニスカスレンズＬ３１と両凸レンズＬ３２で構成されている。
【０３０４】
第４レンズ群Ｇ４は負群で、両凹レンズＬ４１、両凸レンズＬ４２、拡大側に凹の負メニスカスレンズＬ４３、両凸レンズＬ４４で構成されている。
【０３０５】
両凹レンズＬ４１と両凸レンズＬ４２は接合されている。
【０３０６】
第５レンズ群Ｇ５は負群で、拡大側に凹の１枚の負メニスカスレンズＬ５１で構成されている。
【０３０７】
実施例１２の、全系の焦点距離：Ｆの範囲、Ｆナンバ、広角端における半画角：ωｗは、以下のとおりである。
【０３０８】
Ｆ＝１２．３〜１７．９ｍｍ、Ｆｎｏ＝２．５６〜３．３４、ωｗ＝４３．６°
実施例１２のデータを表４５に示す。
【０３０９】
【表４５】
2014142592.tif 000047
【０３１０】
「非球面のデータ」
非球面のデータを表４６に示す。
【０３１１】
【表４６】
2014142592.tif 000048
【０３１２】
投射距離を１６００ｍｍとしたときの、レンズ群間隔：Ｓ４、Ｓ１１、Ｓ１６、Ｓ２３を、広角端・中間・望遠端について、表４７に示す。
【０３１３】
【表４７】
2014142592.tif 000049
【０３１４】
「各条件のパラメータの値」
条件（１）のパラメータの値を、表４８に示す。
【０３１５】
【表４８】
2014142592.tif 000050
【０３１６】
図２４に、実施例１２の収差図を図２に倣って示す。
【０３１７】
「実施例１３」
実施例１３の投射用ズームレンズは、図２５に示したものである。
【０３１８】
図２５に示すように、第１レンズ群Ｇ１はレンズＬ１１とＬ１２で構成され、第２レンズ群Ｇ２はレンズＬ２１〜Ｌ２４で構成されている。
【０３１９】
第３レンズ群Ｇ３はレンズＬ３１とＬ３２で構成され、第４レンズ群Ｇ４はレンズＬ４１とＬ４２で構成され、第５レンズ群Ｇ５は１枚のレンズＬ５１で構成されている。
【０３２０】
広角端から望遠端への変倍に際し、第２レンズ群Ｇ２は縮小側に移動し、第３レンズ群Ｇ３〜第５レンズ群Ｇ５は拡大側に移動する。
【０３２１】
第１レンズ群Ｇ１は負群で、拡大側に凸の負メニスカスレンズＬ１１、縮小側に凹面の負レンズＬ１２で構成されている。
【０３２２】
第２レンズ群Ｇ２は負群で、拡大側に凸の負メニスカスレンズＬ２１、拡大側に凸の正メニスカスレンズＬ２２、両凹レンズＬ２３、両凸レンズＬ２４で構成されている。
【０３２３】
負メニスカスレンズＬ２１と正メニスカスレンズＬ２２は接合されている。
【０３２４】
第３レンズ群Ｇ３は正群で、拡大側に凸の正メニスカスレンズＬ３１、両凸レンズＬ３２で構成されている。
【０３２５】
第４レンズ群Ｇ４は負群で、両凹レンズＬ４１、両凸レンズＬ４２、拡大側に凹の負メニスカスレンズＬ４３、両凸レンズＬ４４で構成されている。
【０３２６】
両凹レンズＬ４１と両凸レンズＬ４２は接合されている。
【０３２７】
第５レンズ群Ｇ５は正群で、１枚の両凸レンズＬ５１で構成されている。
【０３２８】
実施例１３の、全系の焦点距離：Ｆの範囲、Ｆナンバ、広角端における半画角：ωｗは、以下のとおりである。
【０３２９】
Ｆ＝１２．３〜１７．９ｍｍ、Ｆｎｏ＝２．５６〜３．３４、ωｗ＝４３．６°  
実施例１３のデータを表４９に示す。
【０３３０】
【表４９】
2014142592.tif 000051
【０３３１】
「非球面のデータ」
非球面のデータを表５０に示す。
【０３３２】
【表５０】
2014142592.tif 000052
【０３３３】
投射距離を１６００ｍｍとしたときの、レンズ群間隔：Ｓ４、Ｓ１１、Ｓ１６、Ｓ２３を、広角端・中間・望遠端について、表５１に示す。
【０３３４】
【表５１】
2014142592.tif 000053
【０３３５】
「各条件のパラメータの値」
条件（１）のパラメータの値を、表５２に示す。
【０３３６】
【表５２】
2014142592.tif 000054
【０３３７】
図２６に、実施例１３の収差図を図２に倣って示す。
【０３３８】
「実施例１４」
実施例１４の投射用ズームレンズは、図２７に示したものである。
【０３３９】
図２７に示すように、第１レンズ群Ｇ１はレンズＬ１１〜Ｌ１３で構成され、第２レンズ群Ｇ２はレンズＬ２１〜Ｌ２４で構成されている。
【０３４０】
第３レンズ群Ｇ３は１枚のレンズＬ３１で構成され、第４レンズ群Ｇ４はレンズＬ４１とＬ４２で構成され、第５レンズ群Ｇ５はレンズＬ５１〜Ｌ５４で構成されている。
【０３４１】
広角端から望遠端への変倍に際し、第２レンズ群Ｇ２は縮小側に移動し、第３レンズ群Ｇ３〜第５レンズ群Ｇ５は拡大側に移動する。
【０３４２】
第１レンズ群Ｇ１は負群で、拡大側に凸の負メニスカスレンズＬ１１、拡大側に凹面の負レンズＬ１２、縮小側に凹の負メニスカスレンズＬ１３で構成されている。
【０３４３】
第２レンズ群Ｇ２は負群で、両凸レンズＬ２１、両凹レンズＬ２２、縮小側に凸の正メニスカスレンズＬ２３、拡大側に凹の負メニスカスレンズＬ２４で構成されている。
【０３４４】
正メニスカスレンズＬ２３と負メニスカスレンズＬ２４は接合されている。
【０３４５】
第３レンズ群Ｇ３は正群で、１枚の両凸レンズＬ３１で構成されている。
【０３４６】
第４レンズ群Ｇ４は正群で、拡大側に凸の正メニスカスレンズＬ４１、平凸正レンズＬ４２で構成されている。
【０３４７】
第５レンズ群Ｇ５は負群で、平凹負レンズＬ５１、両凸レンズＬ５２、拡大側に凹の負メニスカスレンズＬ５３、両凸レンズＬ５４で構成されている。
【０３４８】
平凹負レンズＬ５１、両凸レンズＬ５２は接合されている。
【０３４９】
実施例１４の、全系の焦点距離：Ｆの範囲、Ｆナンバ、広角端における半画角：ωｗは、以下のとおりである。
【０３５０】
Ｆ＝１７．４〜２６ｍｍ、Ｆｎｏ＝２．５５〜３．３３、ωｗ＝３４．０°
実施例１４のデータを表５３に示す。
【０３５１】
【表５３】
2014142592.tif 000055
【０３５２】
「非球面のデータ」
非球面のデータを表５４に示す。
【０３５３】
【表５４】
2014142592.tif 000056
【０３５４】
投射距離を１６００ｍｍとしたときの、レンズ群間隔：Ｓ６、Ｓ１３、Ｓ１５、Ｓ２０を、広角端・中間・望遠端について、表５５に示す。
【０３５５】
【表５５】
2014142592.tif 000057
【０３５６】
「各条件のパラメータの値」
条件（１）のパラメータの値を、表５６に示す。
【０３５７】
【表５６】
2014142592.tif 000058
【０３５８】
図２８に、実施例１４の収差図を図２に倣って示す。
【０３５９】
収差図に示すように、各実施例の投射用ズームレンズともに、諸収差は高レベルで補正され、球面収差、非点収差、像面湾曲、倍率色収差、歪曲収差も十分に補正されている。
【０３６０】
実施例１〜１４に示されたように、第１レンズ群Ｇ１は、２または３枚のレンズで構成されている。
【０３６１】
第１レンズ群は、レンズ径の大きいレンズが用いられるが、実施例のように、第１レンズ群の構成を２枚または３枚とすることで、第１レンズ群を軽量化できる。
【０３６２】
この軽量化により、自重によるレンズの偏心を抑えることができる。  
また、実施例１〜１４において、第１レンズ群Ｇ１には「非点収差と歪曲収差の補正効果」を持たせている。
【０３６３】
実施例１〜１４においてはまた、第１レンズ群Ｇ１の「最も拡大側の面を、拡大側に凸面形状、最も縮小側の面は凹面形状」としている。
【０３６４】
このようにすることにより、変倍時における「像面湾曲と歪曲収差の変動を低減」させる効果を得ることができている。
【０３６５】
実施例１〜１４の投射用ズームレンズは何れも、広角端から望遠端への変倍の際、第１レンズ群Ｇ１は固定で、第２レンズ群は緩やかに縮小側に移動する。
【０３６６】
第３レンズ群は拡大側へ移動し、第４レンズ群、第５レンズ群は、個別に拡大側に移動する。
【０３６７】
各実施例の投射用ズームレンズでは、第１レンズ群Ｇ１はフォーカス群、第２レンズ群Ｇ２がコンペンセータ（収差補正群）、第３、第４レンズ群がバリエータとなっている。
【０３６８】
バリエータである第３、第４レンズ群Ｇ３、Ｇ４群において、マイナス側の球面収差、マイナス側の軸上色収差を発生させ、５群目でそれらの収差をキャンセルさせている。
【０３６９】
このようにすることにより、全体的に収差の均衡を保つことが可能となっている。
【０３７０】
実施例１〜１４の投射用ズームレンズは何れも、広角端における半画角が３４度よりも大きい「広画角」であり、条件（２）を満足している。
さらに、実施例１２、１３では、第４レンズ群の屈折力が「負」であって、これらの実施例においては、条件（１）、（２）の各パラメータは、何れも、前記条件（１Ａ）および（２Ａ）を満足している。
実施例１２、１３以外の全ての実施例においては、第４レンズ群の屈折力は「正」であり、これらの実施例においては、条件（１）、（２）の各パラメータは、何れも、前記条件（１Ｂ）および（２Ｂ）を満足している。
【０３７１】
そして、望遠端への変倍の際に、第２レンズ群Ｇ２を緩やかに縮小側に移動させており、このようにすることにより、変倍の際の諸収差の変動を小さくできている。
【０３７２】
また、第１〜第３レンズ群Ｇ１〜Ｇ３の屈折力分布を「負・負・正」として、負レンズ群を先行させている。
【０３７３】
負レンズ群先行とすることで、主光線高さをより低くすることができ、レンズ有効径を小さく出来る。
【０３７４】
従って、投射用ズームレンズを広画角ながらコンパクトに実現可能である。
【０３７５】
また、画像投射時の第２レンズ群から第１レンズ群への「光束の跳上げ角」を小さく抑えることができる。
【０３７６】
画像投射時には、ライトバルブ側からの投射光束（斜光線による光束）が、第５レンズ群の側から、第１レンズ群側へ導光される。
【０３７７】
このとき、第１レンズ群Ｇ１、第２レンズ群Ｇ２が共に負であるので、第３レンズ群からの光束の発散角を、第２、第１レンズ群で無理なく拡大することができる。
【０３７８】
従って上記の如く、第２レンズ群から第１レンズ群へ受け渡される光束の跳上げ角を小さく抑えることができ、第１レンズ群からの放射光束の発散角を無理なく大きく出来る。
【０３７９】
また、製造時のレンズの偏心による性能劣化を抑制させる効果がある。
【０３８０】
第１レンズ群の焦点距離：Ｆ１、第２レンズ群の焦点距離：Ｆ２の比：Ｆ１／Ｆ２は、次の（ａ）の範囲が好ましい。
【０３８１】
（ａ）  ０．１  ＜Ｆ１／Ｆ２＜  １．０  
（ａ）の範囲は、非点収差・像面湾曲の補正に有効である。
【０３８２】
また、第１〜第３レンズ群の合成焦点距離：ｆ１＿３ｗは、次の（ｂ）の範囲内にあることが好ましい。
【０３８３】
（ｂ）  ０  ＜  １／｜ｆ１＿３ｗ｜  ＜  ０.１４  
また、合成焦点距離：ｆ１＿３ｗと、広角端における全系の焦点距離：ｆｗの比は、次の（ｃ）の範囲内にあることが好ましい。
【０３８４】
（ｃ）  ０．５  ＜  ｜ｆ１＿３ｗ／ｆｗ｜  ＜  ８．０  
１／｜ｆ１＿３ｗ｜が（ｂ）の範囲内にあると、変倍時における第２レンズ群Ｇ２による収差補正が好適であり、コマ収差を初めとする諸収差の残存の回避に有効である。
【０３８５】
｜ｆ１＿３ｗ／ｆｗ｜を（ｃ）の範囲内に設定することは、コマ収差・倍率色収差の抑制に有効である。
【０３８６】
さらに、以下の条件（ｄ）を満足することが好ましい。  
（ｄ）    ０.３＜Ｄ３／Ｆ３  または、Ｄ４／Ｆ４＜０．６
「Ｆ３」は第３レンズ群の焦点距離、「Ｆ４」は第４レンズ群の焦点距離である。
【０３８７】
「Ｄ３」は広角側から望遠側への変倍に際して移動する第３レンズ群の移動量である
「Ｄ４」は広角側から望遠側への変倍に際して移動する第４レンズ群の移動量である。
【０３８８】
条件（ｄ）を満足することにより、ズーム比：１．５倍以上でも、非点収差補正の最適解が得られ、像面湾曲増大も有効に抑制可能となる。
【０３８９】
実施例１〜１４の投射用ズームレンズでは、第１レンズ群Ｇ１に「非点収差と歪曲収差の補正効果」を持たせている。
【０３９０】
第１レンズ群Ｇ１は「最も拡大側のレンズ面が拡大側に凸形状で、最も縮小側のレンズ面が縮小側に凹形状」である。
【０３９１】
第１レンズ群の「最も拡大側のレンズ面の曲率半径：Ｒ１ｆ、最も縮小側のレンズ面の曲率半径：Ｒ１ｒ」は、（Ａ）の範囲とするのが好ましい。
【０３９２】
（Ａ）  １．３  ＜  Ｒ１ｆ／Ｒ１ｒ  ＜  ２．１    
（Ａ）の範囲内では、上記２つの面の屈折量を良好にバランスさせることができ、「コマ収差における色差発生の抑制」に有効である。
【０３９３】
また、広角端における全系の焦点距離：ｆｗと、第１群レンズ群の焦点距離：Ｆ１との比：ｆｗ／Ｆ１は、以下の（Ｂ）の範囲が好適である。
【０３９４】
（Ｂ）  ０．２  ＜  ｜ｆｗ／Ｆ１｜  ＜  ０.８  
ｆｗ／Ｆ１を（Ｂ）の範囲に設定すると、第１レンズ群の負のパワーを投射用ズームレンズ全体のパワー配分が良好にバランスし易く、諸収差のバランスを良好にできる。
【０３９５】
また、投射距離：１６００ｍｍにおける広角端の有効像円での光学ディストーションの値「ＤＩＳｗ」は、以下の（Ｃ）の範囲が好ましい。
【０３９６】
（Ｃ）  −１．３５％  ＜  ＤＩＳｗ  ＜  ０．０％  
この範囲の光学ディストーションでは「ＴＶディストーション」が良好である。
【０３９７】
この場合、第１レンズ群中に「非球面レンズ」を配し、その焦点距離：ｆｓｐｈを、以下の（Ｄ）の範囲とすると、（Ｃ）を満足させやすい。
【０３９８】
（Ｄ）  １．０×１０−３  ＜  １／｜ｆｓｐｈ｜  ＜  ２．０×１０−２ 
なお、「投射距離」は、被投射面と投射用ズームレンズの最も拡大側のレンズ面との距離を言う。
【０３９９】
実施例１〜１４のうち、実施例１〜１１、１４は、第４レンズ群が正の屈折力を有し、実施例１２、１３においては、第４レンズ群が負の屈折力を有している。
【０４００】
そして、第１レンズ群Ｇ１は、実施例１〜１１、１４においては３枚のレンズにより構成され、実施例１２、１３においては２枚のレンズにより構成されている。
【０４０１】
実施例１〜１４の何れにおいても、第１レンズ群中の「拡大側から２番目のレンズ」を非球面レンズとし、両面を非球面としている。
【符号の説明】
【０４０２】
Ｇ１        第１レンズ群  
Ｇ２        第２レンズ群  
Ｇ３        第３レンズ群  
Ｇ４        第４レンズ群  
Ｇ５        第５レンズ群  
【先行技術文献】
【特許文献】
【０４０３】
【特許文献１】特開２０１１−６９９５９号公報
【特許文献２】特許４９７２７６３号公報
【図１】
2014142592.tif 000059
【図２】
2014142592.tif 000060
【図３】
2014142592.tif 000061
【図４】
2014142592.tif 000062
【図５】
2014142592.tif 000063
【図６】
2014142592.tif 000064
【図７】
2014142592.tif 000065
【図８】
2014142592.tif 000066
【図９】
2014142592.tif 000067
【図１０】
2014142592.tif 000068
【図１１】
2014142592.tif 000069
【図１２】
2014142592.tif 000070
【図１３】
2014142592.tif 000071
【図１４】
2014142592.tif 000072
【図１５】
2014142592.tif 000073
【図１６】
2014142592.tif 000074
【図１７】
2014142592.tif 000075
【図１８】
2014142592.tif 000076
【図１９】
2014142592.tif 000077
【図２０】
2014142592.tif 000078
【図２１】
2014142592.tif 000079
【図２２】
2014142592.tif 000080
【図２３】
2014142592.tif 000081
【図２４】
2014142592.tif 000082
【図２５】
2014142592.tif 000083
【図２６】
2014142592.tif 000084
【図２７】
2014142592.tif 000085
【図２８】
2014142592.tif 000086
【図２９】
2014142592.tif 000087